(57)【要約】【課題】原稿を位置決めすることができるとともに、原稿台からはみ出すサイズの原稿を動かないように仮止めすることができ、位置ずれの無い状態で容易に原稿仮押さえ部材による原稿押さえができる画像読み取り装置を提供する。【解決手段】画像読み取り装置の読み取り部１０１には、コンタクトガラス１１１上に載置される原稿３０１の主走査方向の一辺を位置決めする原稿基準スケール１０２が設けられている。読み取り部１０１における画像形成装置の操作面側と反対側を回動支点として開閉可能な原稿押さえ部材が凹部１０３、１０４にヒンジ部を差し込んで設けられている。原稿基準スケール１０２と反対側の画像読み取り領域外で、原稿押さえ部材から取り外した押さえバー２３０を読み取り部１０１に嵌合固定し、原稿を押さえる。【選択図】図５
2015133582.tif 000002
【特許請求の範囲】
【請求項１】
透明な原稿台と、前記原稿台に置かれた原稿に前記原稿台を通して光を照射し、移動しながら原稿をスキャンする読み取り手段と、を備えた読み取り部と、
前記読み取り部に設けられ、原稿の一辺を位置決めする原稿基準スケールと、
前記読み取り部における画像形成装置の操作面側と反対側を回動支点として開閉可能な原稿押さえ部材と、
前記読み取り部における前記原稿基準スケールと反対側の画像読み取り領域外で、前記原稿押さえ部材とは独立して原稿を押さえることが可能であり、不使用時には前記原稿押さえ部材と前記読み取り部のいずれか一方に保持される原稿仮押さえ部材と、
を有する画像読み取り装置。
【請求項２】
請求項１に記載の画像読み取り装置において、
前記原稿仮押さえ部材が、前記原稿押さえ部材と前記読み取り部とに対して着脱自在に設けられている画像読み取り装置。
【請求項３】
請求項２に記載の画像読み取り装置において、
前記原稿仮押さえ部材の着脱が、弾性変形による嵌合構成によってなされる画像読み取り装置。
【請求項４】
請求項２に記載の画像読み取り装置において、
前記原稿仮押さえ部材の着脱が、磁力による吸着構成によってなされる画像読み取り装置。
【請求項５】
前記原稿仮押さえ部材が前記原稿押さえ部材に回動可能に保持され、前記原稿押さえ部材が開放されている状態で前記原稿仮押さえ部材を回動して仮押さえすることが可能である画像読み取り装置。
【請求項６】
請求項５に記載の画像読み取り装置において、
前記原稿押さえ部材に対する前記原稿仮押さえ部材の保持力は、前記読み取り部に対する前記原稿仮押さえ部材の固定力よりも大きい画像読み取り装置。
【請求項７】
請求項５又は６に記載の画像読み取り装置において、
前記読み取り部に対する前記原稿押さえ部材の回動支点と、前記原稿押さえ部材に対する前記原稿仮押さえ部材の回動支点とが同軸である画像読み取り装置。
【請求項８】
請求項１〜７のいずれか１つに記載の画像読み取り装置を備えた画像形成装置。
【発明の詳細な説明】
【技術分野】
【０００１】
本発明は、原稿の画像を読み取る画像読み取り装置、該画像読み取り装置を有する複写機、プリンタ、ファクシミリ、プロッタ、あるいはこられのうち少なくとも１つを備えた複合機等の画像形成装置に関する。
【背景技術】
【０００２】
この種の画像形成装置では、図１０に示すように、画像読み取り部、画像形成部は、装置の操作面側から見て奥行方向（主走査対応方向）よりも左右方向（副走査対応方向）が長くなっているのが普通である。
「主走査対応方向」とは、感光体ドラムを光走査する場合の主走査方向に対応する方向で、感光体ドラムの長手方向と同義である。
「副走査対応方向」とは、主走査対応方向に直交する方向で、感光体ドラムの回転方向、あるいは用紙が水平搬送される場合の用紙の搬送方向を意味する。
【０００３】
例えば、最大Ａ３サイズの用紙まで扱うことができる画像形成装置においては、用紙の長手方向が搬送方向になっている。
これは、通常の画像形成装置では回転する感光体ドラムに画像を形成するため、感光体ドラムの回転方向、すなわち用紙の搬送方向の方を長くすることが容易なためである。
主走査対応方向に範囲を拡げるためには、画像の読み取り手段、書き込み手段、現像手段の巾を拡げる必要があり、コストアップにつながる。
これに対し、用紙の搬送方向に範囲を拡げるのは、感光体ドラムをより多く回転させればよいのでコストアップを抑えることができる。
これは用紙の最大サイズがＡ４の画像読み取り装置においても同じである。
【０００４】
しかしながら、近年、通常はＡ４サイズまでの用紙しか使わず、Ａ３サイズの用紙はたまにしか使わないユーザーから、通常のＡ３サイズ対応の装置よりもコンパクトな装置の要求が出てきている。
このような要求に対応するため、Ａ４サイズ対応の装置に対して、図１１に示すように、用紙の短手方向を搬送方向とする装置が提案されている。
原稿を原稿台に載置して読み取る方式である、いわゆるブックスキャンの読み取り巾をＡ４サイズの短手方向とし、給紙トレイの給紙方向の巾をＡ４サイズの短手方向にすると、装置本体の巾を小さくすることができる。
【０００５】
Ａ３サイズの用紙でのコピー時は、用紙のセットは画像形成装置本体に対して開閉可能な手差しトレイを使用すれば、普段Ａ４サイズの用紙で使用するときは装置をコンパクトにした状態を維持できる。
このような装置では、通常はブック原稿はＡ４サイズまでしかコピーすることができない。
しかしながら、手差し給紙方式とすれば用紙はＡ３サイズまで使えるので、Ａ３サイズの原稿をコピーしたいという要求が出る。
【０００６】
この要求を実現する方法として、Ａ３サイズの原稿を半分ずつ読み取り、画像を合成してＡ３サイズとして出力する方法がある。
この方法では、まず、Ａ３サイズの原稿の半分を読み取る。その画像情報を画像Ａとする。次に、原稿を１８０度回転させて最初に読み取らなかった部分を読み取る。その画像情報を画像Ｂとする。
画像Ａと画像Ｂとを合成して、全体画像の画像データを作成する。
画像を読み取るとき、副走査対応方向に、Ａ３サイズの原稿の半分、つまりＡ４サイズよりも僅かに大きく読み取り、画像Ａと画像Ｂとで重複する部分の画像を認識し、画像データを適切に処理して、繋ぎ目がわからないようにするとよい。
繋ぎ目の画像データを使って画像を合成する方法としては、例えば特許文献３〜６が知られている。
【０００７】
このような方法で、Ａ４サイズの用紙までしか読み取ることができない画像読み取り装置で、Ａ３サイズの原稿のコピーを取ることが可能になるが、その場合、次のような問題が生じる。
Ａ３サイズの原稿をコンタクトガラス（原稿台）にセットして、圧板等の原稿押さえ部材で押さえる場合を考える。
図１２に示すように、コンタクトガラスは、Ａ４サイズの短手方向よりも少し長い程度の巾しかないため、それより長い部分の原稿は、画像読み取り装置の外にはみ出ることになる。
そのため、Ａ３サイズの原稿セット時は原稿を手で押さえた状態で、原稿押さえ部材を閉じないと、原稿は落下してしまう。
しかしながら、原稿押さえ部材を完全に閉じる直前で手を離す必要があるため、そこで原稿が落下したり、ずれたりすることがある。
【０００８】
シートスルー読み取り用コンタクトガラスと、ブック原稿用コンタクトガラスとの間に原稿スケールを有する画像読み取り装置において、原稿スケールの一部（すくい上げ部）を分離可能とした構成が知られている（例えば特許文献１）。
このような構成によれば、コンタクトガラスからはみ出すようなサイズの原稿をセットするときに、すくい上げ部がじゃまにならず原稿のセット性が向上する。
原稿押さえ部材とは別に、巻き取り収納式の原稿押さえ手段を設け、原稿押さえ部材で押さえる前に、ベルト状の押さえ部材を引き出して押さえる構成も知られている（例えば特許文献２）。
【発明の概要】
【発明が解決しようとする課題】
【０００９】
しかしながら、原稿スケールの一部を分離可能とした構成では、原稿台からはみ出る原稿を支持しやすくはなるが、原稿スケールを越えてセットすることになるため、原稿スケールに原稿を突き当てて位置決めすることができない。
巻き取り収納式の原稿押さえ手段を設ける構成では、原稿押さえの収納場所を確保する必要があり、装置の小型化に逆行する。
【００１０】
本発明は、このような現状に鑑みて創案されたもので、原稿を位置決めすることができるとともに、原稿台からはみ出すサイズの原稿を動かないように仮止めすることができ、位置ずれの無い状態で容易に原稿仮押さえ部材による原稿押さえができる画像読み取り装置の提供を、その主な目的とする。
【課題を解決するための手段】
【００１１】
上記目的を達成するために、本発明は、透明な原稿台と、前記原稿台に置かれた原稿に前記原稿台を通して光を照射し、移動しながら原稿をスキャンする読み取り手段と、を備えた読み取り部と、前記読み取り部に設けられ、原稿の一辺を位置決めする原稿基準スケールと、前記読み取り部における画像形成装置の操作面側と反対側を回動支点として開閉可能な原稿押さえ部材と、前記読み取り部における前記原稿基準スケールと反対側の画像読み取り領域外で、前記原稿押さえ部材とは独立して原稿を押さえることが可能であり、不使用時には前記原稿押さえ部材と前記読み取り部のいずれか一方に保持される原稿仮押さえ部材と、を有する構成とした。
【発明の効果】
【００１２】
本発明によれば、原稿を位置決めすることができるとともに、原稿台からはみ出すサイズの原稿を動かないように仮止めすることができ、位置ずれの無い状態で容易に原稿仮押さえ部材による原稿押さえができる。
【図面の簡単な説明】
【００１３】
【図１】本発明の第１の実施形態に係る画像形成装置としての複写機の概要構成図である。
【図２】画像読み取り装置の分解斜視図である。
【図３】原稿押さえ部材に対する押さえバーの保持構成を示す図である。
【図４】読み取り部に対する押さえバーの固定構成を示す図である。
【図５】読み取り部において、サイズの大きい原稿を位置決めして押さえバーで押さえた状態を示す斜視図である。
【図６】第２の実施形態における画像読み取り装置の分解斜視図である。
【図７】第３の実施形態における原稿押さえ部材に対する押さえバーの保持構成を示す斜視図である。
【図８】同側面図である。
【図９】押さえバーを回動して読み取り部で押さえた状態を示す側面図である。
【図１０】Ａ３サイズに対応した従来の画像形成装置のレイアウトを示す平面図である。
【図１１】Ａ４サイズの短手方向が搬送方向となるコンパクト構成のレイアウトを示す平面図である。
【図１２】図１１で示した構成において、大きいサイズの原稿を読み取る場合の垂れ下がり状態を示す側面図である。
【発明を実施するための形態】
【００１４】
以下、本発明の実施形態を図を参照して説明する。
図１乃至図５は第１の実施形態を示している。
まず、図１に基づいて、本実施形態に係る画像形成装置としての複写機の構成の概要を説明する。
複写機１１は、像担持体としての感光体ドラム２１を備えている。
感光体ドラム２１はその表面を図示しない帯電手段により一様に帯電され、画像読み取り装置１００でスキャンして読み取った画像情報、あるいはＰＣ（パーソナルコンピュータ）等の外部機器から入力された画像情報に基づいて光書き込みユニット３１により静電潜像が形成される。
静電潜像は、図示しない現像手段の現像ローラ２２によってトナー像として可視像化される。
感光体ドラム２１上のトナー像は、転写手段としての転写ローラ２５により、記録媒体としての転写紙上に転写される。
【００１５】
転写紙は給紙トレイ４１に重ねて収納されており、給紙ローラ４２によって一枚ずつ搬送される。
給紙トレイ４１は、収納可能な最大サイズの転写紙の短手方向が、転写紙の搬送方向（給紙方向）と一致するようにセットされている。
すなわち、転写紙の最大サイズがＡ４サイズの場合、転写紙の搬送方向の長さは２１０ｍｍで、それと直角方向（図１での奥行き方向）の長さは２９７ｍｍである。
Ａ３サイズの転写紙を使用する場合は、手差しトレイ６１を使う。手差しトレイ６１は開閉式になっており、不使用時には複写機１１の側面に収納されている。使用する場合には開けて略水平に倒した状態とする。
手差しトレイ６１の自由端側には、出し入れ自在に延長トレイ６２が設けられている。
【００１６】
トナー像を転写された転写紙は、定着手段５１によりトナー像を定着され、排紙ローラ対５２により、画像形成装置の上面である排紙トレイ７１にスタックされる。
画像読み取り装置１００は、透明な原稿台としてのコンタクトガラス１１１と、読み取り手段としての画像読み取りセンサ１２１及びガイドレール１３１等を備えている。
コンタクトガラス１１１上に置かれた原稿を、画像読み取りセンサ１２１が、ガイドレール１３１に沿ってコンタクトガラス１１１の短手方向（図１の左右方向）に移動しながら画像をスキャンして読み取る。
画像読み取りセンサ１２１の移動に伴って図示しない光源が原稿に光を照射する。
【００１７】
コンタクトガラス１１１の短手方向の幅ｄは、Ａ４サイズの短手方向のサイズに対応しており、これに対応して画像形成装置全体の幅ｗもコンパクトなサイズとなっている。
【００１８】
図２に基づいて、画像読み取り装置１００の構成を説明する。
画像読み取り装置１００は、上記コンタクトガラス１１１、画像読み取りセンサ１２１、ガイドレール１３１、光源等を備えた読み取り部１０１と、読み取り部１０１における複写機１１の操作面側と反対側を回動支点として開閉可能な原稿押さえ部材２０１とを備えている。
原稿押さえ部材２０１は、ヒンジ２１０、２１１を支点に回動するようになっている。
ヒンジ２１０、２１１は、読み取り部１０１に形成された凹部１０３、１０４に上方向から差し込まれる。
【００１９】
原稿押さえ部材２０１は、圧板としての押さえシート２２０と、原稿仮押さえ部材としての押さえバー２３０とを備えている。
押さえバー２３０は原稿押さえ部材２０１に着脱自在に保持されている。
押さえシート２２０は、原稿をコンタクトガラス１１１に密着させるためのもので、例えばスポンジのような弾性体に白色シートを貼り付けたものでもよく、平面度のよい樹脂の板材でもよい。
読み取り部１０１には、原稿の主走査対応方向の一辺を位置決めするための原稿基準スケール１０２がコンタクトガラス１１１と段差をもって形成されている。
【００２０】
図３に基づいて、押さえバー２３０の着脱構成について説明する。
押さえバー２３０は、長手方向の両端に近い部分に、固定用爪２３１を備えている。固定用爪２３１は、樹脂あるいは、薄い板金等の弾性部材で構成されている。
原稿押さえ部材２０１は、押さえバー２３０を保持するための保持用穴２０３、２０４を備えている。保持用穴２０３、２０４に固定用爪２３１を押し込むと、固定用爪２３１が弾性変形して嵌合し、これによって押さえバー２３０は原稿押さえ部材２０１に保持される。
原稿押さえ部材２０１から押さえバー２３０を外す場合には、引っ張るだけでよい。
【００２１】
押さえバー２３０は、通常は原稿押さえ部材２０１に保持され、原稿押さえ部材２０１と一体化している。
原稿を押さえるために押さえバー２３０を使用するときは、図４に示すように、原稿押さえ部材２０１から押さえバー２３０を外し、読み取り部１０１における原稿基準スケール１０２と反対側の画像読み取り領域外１０７で原稿を押さえるように固定する。
このように、押さえバー２３０は、原稿押さえ部材２０１とは独立して、すなわち、原稿押さえ部材２０１の原稿押さえ動作とは無関係に原稿を押さえることが可能である。
【００２２】
コンタクトガラス１１１の上面と同等の面を有する画像読み取り領域外１０７には、原稿押さえ部材２０１の保持用穴２０３、２０４と同様の保持用穴１０５、１０６が形成されている。
押さえバー２３０を押し込むと、固定用爪２３１が弾性変形して嵌合し、これによって押さえバー２３０は読み取り部１０１に固定（保持）される。
具体的には、原稿の主走査対応方向の一辺を原稿基準スケール１０２に突き当てた状態を左手で維持しながら、原稿押さえ部材２０１からはずされた押さえバー２３０を右手で固定する。
【００２３】
図５に、原稿３０１を押さえバー２３０で保持した状態を示す。
ここでは、画像読み取り装置１００の画像読み取り領域（斜線部）に対して、２倍のサイズの原稿をセットした場合を示している。
原稿３０１の主走査対応方向の一辺は原稿基準スケール１０２に突き当てられて位置決めされる。
位置決め後、原稿３０１を手で押さえていないと、装置からはみ出た部分の重量で落下してしまう。
このため、原稿３０１を手で押さえた状態を維持しながら、原稿押さえ部材２０１を閉じる動作が必要になる。
【００２４】
本実施形態のように、原稿押さえ部材２０１から外した押さえバー２３０により、原稿３０１を読み取り部１０１に保持すると、原稿３０１から手を離した状態で原稿押さえ部材２０１を閉じればよく、操作性がよい。
また、手で押さえたままで原稿押さえ部材２０１を閉じる場合、完全に閉じる直前に手を離す必要があり、そのときに原稿３０１の位置がずれやすい。
本実施形態では、原稿押さえ部材２０１の回動操作中、原稿３０１は押さえバー２３０により押さえられているので、位置ずれの心配もない。
【００２５】
上述したように、Ａ３サイズの原稿を読み取る場合には、まずその半分を読み取り、原稿を１８０度回転させて最初に読み取らなかった部分を読み取る。
２つの画像を合成して、全体画像の画像データを作成する。
画像を読み取るとき、副走査対応方向にＡ４サイズよりも僅かに大きく読み取り、２つの画像で重複する部分の画像を認識し、画像データを適切に処理して、繋ぎ目がわからないようにする。
【００２６】
本実施形態では、押さえバー２３０を不使用時には原稿押さえ部材２０１に保持する構成としたが、これに限定されない。
例えば、読み取り部１０１の側面（図５の１０１ａ）に保持するようにしてもよい。この場合、開放されている原稿押さえ部材２０１まで手を伸ばす必要がなく、容易に押さえバー２３０を取り出すことができる。
押さえバー２３０は不使用時原稿押さえ部材２０１と読み取り部１０１のいずれか一方に保持されていればよい。
【００２７】
図６に基づいて、第２の実施形態を説明する。
なお、上記実施形態と同一部分は同一符号で示し、特に必要がない限り既にした構成上及び機能上の説明は省略して要部のみ説明する（以下の他の実施形態において同じ）。
上記実施形態では押さえバー２３０を弾性変形による嵌合構成によって着脱する構成としたが、本実施形態では磁力による吸着構成によって着脱することを特徴とする。
【００２８】
原稿押さえ部材２０１は、磁気吸着部材２０６を備えている。押さえバー２３０は、固定用爪２３１の代わりに磁気吸着部材２０６に対向する面に磁性体からなる部材を備えている。
例えば薄い鉄板を貼り付けたようなものである。逆に押さえバー２３０に磁気吸着部材を備えていてもよい。
読み取り部１０１においても、画像読み取り領域外１０７に磁気吸着部材１３０を備えており、押さえバー２３０を磁気吸着力により保持することができる。
本実施形態においても、図５で示したように、画像読み取り領域よりサイズが大きい原稿を位置決めし、且つ位置ずれしない状態に容易にセットすることができる。
本実施形態では、磁力による吸着を利用しているため、押さえバー２３０は吸着面の全面において均一な吸着力を確保でき、原稿を確実に保持できる。
【００２９】
図７乃至図９に基づいて、第３の実施形態を説明する。
本実施形態では、押さえバー２３０’が原稿押さえ部材２０１に回動可能に保持されていることを特徴とする。
押さえバー２３０’は、基端部がヒンジ２１１の回動支点２１１ａを軸として同軸回動するようになっている。
押さえバー２３０’の自由端部は固定用爪２３１を備えており、原稿押さえ部材２０１に対して保持用穴２０３で保持されるようになっている。
画像読み取り領域よりサイズが大きい原稿をセットする場合には、押さえバー２３０’の固定用爪２３１の近傍を引っ張り、原稿押さえ部材２０１から分離して回動し、原稿の上から押さえて固定する。
【００３０】
押さえバー２３０’の読み取り部１０１への保持力（原稿押さえ力）については、例えば、押さえバー２３０’の自重によるものであってもよいし、既に説明した弾性変形による嵌合、磁気吸着力によるものであってもよい。
本実施形態では、押さえバー２３０’の保持力は、読み取り部１０１に対する保持力よりも、原稿押さえ部材２０１に対する保持力（固定力）をやや大きく設定している。
このようにすると、原稿押さえ部材２０１を開いた状態で、押さえバー２３０’で原稿を固定し、原稿押さえ部材２０１を閉じてコピー動作を実施後、原稿押さえ部材２０１を開けたときに、押さえバー２３０’は自動的に原稿押さえ部材２０１に保持される。
押さえバー２３０’は原稿押さえ部材２０１と一体化するため、押さえバー２３０’をわざわざ原稿押さえ部材２０１に保持する必要がなくなり、操作が簡単になる。
【００３１】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００３２】
１０１  読み取り部
１０２  原稿基準スケール
１０７  画像読み取り領域外
１１１  原稿台としてのコンタクトガラス
１２１  読み取り手段としての画像読み取りセンサ
２０１  原稿押さえ部材
２１１ａ  回動支点
２３０  原稿仮押さえ部材としての押さえバー
【先行技術文献】
【特許文献】
【００３３】
【特許文献１】特開２００４−３３１２７１号公報
【特許文献２】特開平１１−１８７１７４号公報
【特許文献３】特許第３６１６２５６号公報
【特許文献４】特許第３８０４３１３号公報
【特許文献５】特許第４７８７６８５号公報
【特許文献６】特許第５２３０８７３号公報
【図１】
2015133582.tif 000003
【図２】
2015133582.tif 000004
【図３】
2015133582.tif 000005
【図４】
2015133582.tif 000006
【図５】
2015133582.tif 000007
【図６】
2015133582.tif 000008
【図７】
2015133582.tif 000009
【図８】
2015133582.tif 000010
【図９】
2015133582.tif 000011
【図１０】
2015133582.tif 000012
【図１１】
2015133582.tif 000013
【図１２】
2015133582.tif 000014